(57)【要約】  光学フィルムに応じて、テンションを調整し、幅が異なる光学フィルムを兼用することができる光学フィルム貼付装置を提供することを目的とする。光学フィルム貼付装置において、光学フィルムにテンションを付加するテンション部と、テンションを調整するテンション調整部が設置される。テンション調整部は、幅が狭い光学フィルムを使用する場合のテンションより、幅が広い光学フィルムを使用する場合のほうが大きくなるように、テンションを調整する。
2017163495.tif 000002
【特許請求の範囲】
【請求項１】
ガラス基板に光学フィルムを貼付し光学基板を製造する光学フィルム貼付装置であって、
前記ガラス基板を搬送するガラス基板搬送経路と、
前記光学フィルムを搬送する光学フィルム搬送経路と、
前記ガラス基板搬送経路及び前記光学フィルム搬送経路の途中に設置され、前記ガラス基板に前記光学フィルムを貼付する貼付部と、を含み、
前記光学フィルム搬送経路は、
前記光学フィルムを供給する光学フィルム供給部と、
前記光学フィルム供給部と前記貼付部との間に設置され、前記光学フィルムにテンションを付加するテンション部と、を含み、
前記テンション部には、前記テンションを調整するテンション調整部が設置される、
ことを特徴とする光学フィルム貼付装置。
【請求項２】
前記光学フィルム貼付装置は幅が異なる光学フィルムを兼用し、
前記テンション調整部は、幅が狭い光学フィルムを使用する場合の前記テンションより、幅が広い光学フィルムを使用する場合のほうが大きくなるように、前記テンションを調整する、
ことを特徴とする請求項１に記載された光学フィルム貼付装置。
【請求項３】
前記テンション部は、
支持フレームと、
上下動可能に前記支持フレームに設置される固定板と、
前記光学フィルムの搬送方向に直交するように配置され、前記固定板に回転自由に支持されるテンション軸と、
前記テンション軸の中心部に固定され、前記光学フイルムに対して、テンションを付加するように上方から圧接するテンションローラと、を含み、
前記テンション調整部は、ウェイトと連接部材とを含み、
前記固定板と前記ウェイトとはそれぞれ前記連接部材の両端に連結され、
前記連接部材は、前記支持フレームに設置される複数のプーリーに渡って、前記固定板と前記ウェイトとを吊り下げ、
前記ウェイトの重量を調整することで、前記テンションを調整する、
ことを特徴とする請求項１または２に記載された光学フィルム貼付装置。
【請求項４】
前記ウェイトは受け部と複数のおもりを含み、
前記受け部は前記連接部材に連結され、前記複数のおもりは前記受け部にセットされる、
ことを特徴とする請求項３に記載された光学フィルム貼付装置。
【発明の詳細な説明】
【技術分野】
【０００１】
この発明は、光学フィルム貼付装置に関し、特に幅が異なる光学フィルムを兼用できる光学フィルム貼付装置。
【背景技術】
【０００２】
現在、ディスプレイを代表とする光学表示装置に、ガラス基板に光学フィルムを貼付させた光学表示パネルが使用されている。このような光学表示パネルを効率よく製造するために、光学フィルムとしての光学フィルムをガラス基板に貼付するためのＲＴＰ（Ｒｏｌｌ  ｔｏ  Ｐａｎｅｌ）方式の光学フィルム貼付装置が開発される。【０００３】
一般的に、上記光学フィルム貼付装置は、複数の搬送ローラによって光学フィルムを連続的に搬送する光学フィルム搬送経路を具備する。貼付を行う場合、光学フィルムは、光学フィルムロールの形態で光学フィルム搬送経路における光学フィルム供給部に装着される。この光学フィルムロールは、ベルト状の光学フィルムとキャリアフィルムとを積層しロール状に巻いてなるものである。光学フィルム供給部から積層した光学フィルムとキャリアフィルムとが繰出され、光学フィルム経路に沿って、貼付部に搬送される。キャリアフィルム上に積層された光学フィルムは、貼付部に搬送されるまでに、キャリアフィルムを残して光学フィルムのみを、ガラス基板に対応する長さに切断される。貼付部は、光学フィルムをキャリアフィルムから剥ぎ取り、ガラス基板に貼付する。その後、残したキャリアフィルムがキャリアフィルム回収部に搬送され、回収される。【０００４】
上記ベルト状の光学フィルムは、その幅が貼付されるガラス基板の長辺または短辺に対応する。幅がガラス基板の長辺に対応する光学フィルムは長辺幅の光学フィルムとして、幅がガラス基板の短辺に対応する光学フィルムは短辺幅の光学フィルムとする。【０００５】
また、光学フィルムを光学フィルムとして使用する場合、光学フィルムは、吸収軸が長手方向（ＭＤ）である光学フィルムと、吸収軸が幅方向（ＴＤ）である光学フィルムと、を含む。上記の長手方向及び幅方向は、ベルト状の光学フィルムに対するものである。【０００６】
従来の光学フィルム貼付装置において、例えば特許文献１に示されるように、吸収軸が長手方向である長辺幅の光学フィルムを用いてガラス基板の一方の面に第１回の貼付をして、その後、ガラス基板を旋回、反転し、吸収軸が長手方向である短辺幅の光学フィルムを用いてガラス基板の他方の面に第２回の貼付をする貼付方式が採用される。【０００７】
また、特許文献２に示されるように、吸収軸が長手方向である長辺幅の光学フィルムを用いてガラス基板の一方の面に第１回の貼付をして、その後、ガラス基板を反転し、吸収軸が幅方向である長辺幅の光学フィルムを用いてガラス基板の他方の面に第２回の貼付をする貼付方式が採用される光学フィルム貼付装置も存在する。
【先行技術文献】
【特許文献】
【０００８】
【特許文献１】特開２０１２−０８３６９０号公報
【特許文献２】特開２００９−２７６７５７号公報
【発明の概要】
【発明が解決しようとする課題】
【０００９】
しかしながら、上記の光学フィルム貼付装置は単一の貼付方式しか採用できないため、各種の貼付方式に対応できる光学フィルム貼付装置が期待される。光学フィルム貼付装置が長辺幅の光学フィルム及び短辺幅の光学フィルムを兼用できることが要求される。しかし、幅が異なる光学フィルムを使用する場合には、光学フィルムによる各搬送ローラへの負荷が異なるため、光学フィルム貼付装置または光学フィルムに悪影響を及ぼす恐れがある。【００１０】
例えば、長辺幅の光学フィルムロールを使用するために、短辺幅の光学フィルムロールのための搬送ローラを長くする必要がある。このようにすれば、長くなった搬送ローラによって短辺幅の光学フィルムを搬送する場合、光学フィルムによる各搬送ローラへの負荷が搬送ローラの中央に集中するので、搬送ローラには撓みが発生する可能性がある。【００１１】
本発明は、上記の課題に鑑みなされたものであり、光学フィルムに応じて、テンションを調整し、幅が異なる光学フィルムを兼用することができる光学フィルム貼付装置を提供することを目的とする。
【課題を解決するための手段】
【００１２】
本発明に係る光学フィルム貼付装置は、ガラス基板に光学フィルムを貼付し光学基板を製造するものであって、
前記ガラス基板を搬送するガラス基板搬送経路と、
前記光学フィルムを搬送する光学フィルム搬送経路と、
前記ガラス基板搬送経路及び前記光学フィルム搬送経路の途中に設置され、前記ガラス基板に前記光学フィルムを貼付する貼付部と、を含み、
前記光学フィルム搬送経路は、
前記光学フィルムを供給する光学フィルム供給部と、
前記光学フィルム供給部と前記貼付部との間に設置され、前記光学フィルムにテンションを付加するテンション部と、を含み、
前記テンション部には、前記テンションを調整するテンション調整部が設置される、
ことを特徴とする光学フィルム貼付装置。【００１３】
また、本発明に係る貼付装置において、
前記光学フィルム貼付装置は幅が異なる光学フィルムを兼用し、
前記テンション調整部は、幅が狭い光学フィルムを使用する場合の前記テンションより、幅が広い光学フィルムを使用する場合のほうが大きくなるように、前記テンションを調整する、ことが好ましい。【００１４】
また、本発明に係る貼付装置において、
前記テンション部は、
支持フレームと、
上下動可能に前記支持フレームに設置される固定板と、
前記光学フィルムの搬送方向に直交するように配置され、前記固定板に回転自由に支持されるテンション軸と、
前記テンション軸の中心部に固定され、前記光学フイルム対して、テンションを付加するように上方から圧接するテンションローラと、を含み、
前記テンション調整部は、ウェイトと連接部材とを含み、
前記固定板と前記ウェイトとはそれぞれ前記連接部材の両端に連結され、
前記連接部材は、前記支持フレームに設置される複数のプーリーに渡って、前記固定板と前記ウェイトとを吊り下げ、
前記ウェイトの重量を調整することで、前記テンションを調整する、ことが好ましい。【００１５】
また、本発明に係る貼付装置において、
前記ウェイトは受け部と複数のおもりを含み、
前記受け部は前記連接部材に連結され、前記複数のおもりは前記受け部にセットされる、ことが好ましい。
【発明の効果】
【００１６】
本発明に係る光学フィルム貼付装置では、テンション部とテンション調整部とを含むので、幅が異なる光学フィルムを使用する場合には、光学フィルムに応じてテンション調整部によりテンションを調整できることで、光学フィルムによる各搬送ローラへの負荷を調整でき、光学フィルム貼付装置または光学フィルムに悪影響を及ぼすことを防止できる。これにより、本発明に係る光学フィルム貼付装置は幅が異なる光学フィルムを兼用できる。
【図面の簡単な説明】
【００１７】
【図１】図１は、光学フィルム貼付装置の全体の構成を示す模式図である。
【図２】図２は、光学フィルムの搬送方向に直交する方向にテンション部及びテンション調整部を見た図である。
【図３】図３は、光学フィルムの搬送方向にテンション部及びテンション調整部を見た図である。
【発明を実施するための形態】
【００１８】
以下、添付の図面を基づいて、本発明を実施するための形態を説明する。この実施の形態において、ＲＴＰ方式の光学フィルム貼付装置を例として、光学フィルム貼付装置を説明する。なお、以下の説明において、上流側と下流側とは、ガラス基板３の搬送方向の上流側と下流側との意味である。
【００１９】
なお、この実施の形態において、光学フィルムは、長辺幅の光学フィルムＬと短辺幅の光学フィルムＳとを含む。
【００２０】
図１を参照して、光学フィルム貼付装置の全体の構成を説明する。光学フィルム貼付装置は、ガラス基板３の搬送方向に沿って、上流側貼付機構Ａと下流側貼付機構Ｂとに分けられる。ガラス基板３を搬送するためのガラス基板搬送経路２は、この上流側貼付機構Ａと下流側貼付機構Ｂとを通過する。上流側貼付機構Ａには、ガラス基板３の一面に光学フィルムを貼付して、下流側貼付機構Ｂには、ガラス基板３の他面に光学フィルムを貼付する。
【００２１】
上流側貼付機構Ａと下流側貼付機構Ｂとの構造はほとんど同じであるため、以下、上流側貼付機構Ａのみについて説明する。
【００２２】
上流側貼付機構Ａは、ガラス基板搬送経路２と、光学フィルムを搬送する光学フィルム搬送経路１と、ガラス基板搬送経路２及び光学フィルム搬送経路１の途中に設置され、光学フィルムをガラス基板３に貼付する貼付部４とを含む。
【００２３】
以下、光学フィルム搬送経路１について、詳しく説明する。
【００２４】
光学フィルム搬送経路１には、ガラス基板３の搬送方向と反対方向に向かって、即ち、下流側から上流側に向かって、光学フィルムを搬送するものである。光学フィルム搬送経路１には、光学フィルム搬送経路１における下流側の一端に配置される光学フィルム供給部５と、光学フィルム供給部５より上流側に配置されるテンション部６と、テンション部６より上流側に、且つ、貼付部４より下流側に配置される切断部７と、光学フィルム搬送経路１における上流側の一端に配置されるキャリアフィルム回収部８と、を含む。
【００２５】
光学フィルム供給部５は、回転自在になるローラを具備する構造である。光学フィルムは、光学フィルムロールの形態でこのローラに装着される。上記光学フィルムロールは、ベルト状の光学フィルムとキャリアフィルムとを積層しロール状に巻いてなるものである。光学フィルムロールを繰出させることで、光学フィルムを上流側に連続的に供給できる。
【００２６】
テンション部６は、光学フィルム供給部５から繰出された光学フィルムにテンションを付加する。また、テンション部６には、テンションを調整するテンション調整部が設置される。このテンション部６及びテンション調整部について、詳しく後述する。
【００２７】
切断部７は、キャリアフィルム上に積層された光学フィルムを切断する。
【００２８】
貼付部４は、光学フィルムをキャリアフィルムから剥ぎ取り、ガラス基板３に貼付する。
【００２９】
キャリアフィルム回収部８は、回転自在になるローラを具備する構造である。キャリアフィルムをこのローラに巻取ることで、回収する。
【００３０】
また、光学フィルム搬送経路１には、上記の各部の間に、連続的に光学フィルムを搬送するための回転自在になる複数の搬送ローラ９が設置される。幅が異なる光学フィルムを搬送できるようにするために、各搬送ローラ９は、その長さが長辺幅の光学フィルムＬの幅より大きくなるように構成される。
【００３１】
次に、図２と図３を参照して、光学フィルム貼付装置のテンション部６とテンション調整部について説明する。
【００３２】
テンション部６は、支持フレームＦと、固定板６３と、テンション軸６１と、テンションローラ６２と、を含む。
【００３３】
支持フレームＦの内部に、テンション軸６１が配置される。このテンション軸６１の両端部は、支持フレームＦを通過し、支持フレームの外に水平方向に延在して、回転自在に固定板６３に支持される。
【００３４】
テンションローラ６２は、支持フレームＦの内部に位置し、テンション軸６１の中心部に配置される。テンションローラ６２は、その長さが長辺幅の光学フィルムＬの幅より大きくなるように構成される。
【００３５】
固定板６３は、直方形状に形成され、支持フレームＦの外側に配置される。支持フレームＦには、この固定板６３の上方と下方にそれぞれ上板６５ａと下板６５ｂとが設置される。この上板６５ａと下板６５ｂとの間に、２本のガイドロッド６６が直立方向に設置される。この２本のガイドロッド６６は固定板６３の両側の挿通穴に挿通されることで、固定板６３はこの２本のガイドロッド６６に沿って直立方向に移動自由になる。これにより、テンション軸６１及びテンションローラ６２は固定板６３とともに上下動可能になる。
【００３６】
上記の構成において、テンションローラ６２がその下方に通過する光学フィルムに上方から圧接することによって、テンションローラ６２、テンション軸６１及び固定板６３の自重を利用して、光学フィルムにテンションを付加する。また、固定板６３は直立方向に移動できるしかないため、テンションローラ６２の揺動を防止でき、光学フィルムに安定なテンションを付加できる。
【００３７】
また、このテンション調整部は、ベルト状の連接部材６８とウェイト６９とを具備する。連接部材６８は、その一端が固定板６３の上部におけるテンション軸６１の軸心の真上の箇所に連結され、その他端がウェイト６９に連結される。連接部材６８は、支持フレームＦに設置される二つのプーリー６７ａ、６７ｂに渡って、固定板６３とウェイト６９とを吊り下げる。また、ウェイト６９は、受け部６９１と複数のおもり６９２とを含む。受け部６９１は連接部材６８に連結され、複数のおもり６９２は受け部６９１にセットされる。
【００３８】
上記の構成において、ウェイト６９は自重で連接部材６８を介して固定板６３を引き上げる。このように、光学フィルムに付加されるテンションは、テンションローラ６２、テンション軸６１及び固定板６３の自重からウェイト６９の自重を減じてなるものである。おもり６９２の数が自由に増減できるため、ウェイト６９の自重が自由に調整できる。これにより、光学フィルムに付加されるテンションが自由に調整できることになる。
【００３９】
そのため、上記の構成によって、幅が異なる光学フィルムを使用する場合、テンション調整部によりテンションを適当に調整できる。具体的に、テンション調整部は、幅が狭い光学フィルムを使用する場合のテンションより、幅が広い光学フィルムを使用する場合のほうが大きくなるように、テンションを調整する。このようにテンションを調整することによって、光学フィルムによる各搬送ローラ９への負荷が適当に調整され、光学フィルム貼付装置または光学フィルムに悪影響を及ぼすことを防止できる。
【００４０】
以下、光学フィルム貼付装置には、長辺幅の光学フィルムＬ及び短辺幅の光学フィルムＳを使用する場合のそれぞれの調整方式を説明する。
【００４１】
長辺幅の光学フィルムＬを使用する場合には、おもり６９２の数を減少することで、長辺幅の光学フィルムＬに付加されるテンションを増大する。このように、光学フィルムの搬送はさらに安定になる。
【００４２】
短辺幅の光学フィルムＳを使用する場合には、光学フィルムによるテンション軸６１への負荷が中央及び両端部に集中するため、おもり６９２の数を増加することで、短辺幅の光学フィルムＳに付加されるテンションを減少する。このように、光学フィルムによるテンション軸６１への負荷も減少でき、テンション軸６１の撓みを防止できる。
【００４３】
そのため、この実施の形態における光学フィルム貼付装置には、光学フィルムに応じてテンション調整部によりテンションを調整することで、幅が異なる光学フィルムを兼用できる。
【００４４】
なお、本発明は上記のような具体的な実施の形態に限らず、本発明の技術構想の範囲内で様々な変更が実施できる。このような変更も本発明の範囲に含まれる。
【００４５】
例えば、上記の実施の形態において、上記のテンション調整部は連接部材とウェイトより構成されるが、他の構造のテンション調整部を使用してもよい。例えば、固定板には、おもりがセットされるための受け部が設置されてもよい。これにより、おもりの数を増減することで、固定板の自重を調整でき、テンションも調整できることになる。
【符号の説明】
【００４６】
１      光学フィルム搬送経路
２      ガラス基板搬送経路
３      ガラス基板
４      貼付部
５      光学フィルム供給部
６      テンション部
７      切断部
８      キャリアフィルム回収部
９      搬送ローラ
６１    テンション軸
６２    テンションローラ
６３    固定板
６４    軸受け
６５ａ  上板
６５ｂ  下板
６６    ガイドロッド
６７ａ、６７ｂ  プーリー
６８    連接部材
６９    ウエイト
６９１    受け部
６９２    おもり
Ｆ      支持フレーム
Ａ      上流側貼付機構
Ｂ      下流側貼付機構
Ｌ      長辺幅の光学フィルム
Ｓ      短辺幅の光学フィルム
【図１】
2017163495.tif 000003
【図２】
2017163495.tif 000004
【図３】
2017163495.tif 000005
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
ガラス基板に光学フィルムを貼付して光学基板を製造する光学フィルム貼付装置であって、
前記ガラス基板を搬送するガラス基板搬送経路と、
前記光学フィルムを搬送する光学フィルム搬送経路と、
前記ガラス基板搬送経路及び前記光学フィルム搬送経路の途中に設置され、前記ガラス基板に前記光学フィルムを貼付する貼付部と、
を含み、
前記光学フィルム搬送経路は、
前記光学フィルムを供給する光学フィルム供給部と、
前記光学フィルム供給部と前記貼付部との間に設置され、前記光学フィルムにテンションを付加するテンション部と、を含み、
前記テンション部には、前記テンションを調整するテンション調整部が設置され、
前記光学フィルム貼付装置は幅が異なる光学フィルムを兼用できる構成であり、
前記テンション調整部は、幅が狭い光学フィルムを使用する場合のテンションより、幅が広い光学フィルムを使用する場合のテンションの方が大きくなるように、前記テンションを調整する、
ことを特徴とする光学フィルム貼付装置。
【請求項２】
ガラス基板に光学フィルムを貼付して光学基板を製造する光学フィルム貼付装置であって、
前記ガラス基板を搬送するガラス基板搬送経路と、
前記光学フィルムを搬送する光学フィルム搬送経路と、
前記ガラス基板搬送経路及び前記光学フィルム搬送経路の途中に設置され、前記ガラス基板に前記光学フィルムを貼付する貼付部と、
を含み、
前記光学フィルム搬送経路は、
前記光学フィルムを供給する光学フィルム供給部と、
前記光学フィルム供給部と前記貼付部との間に設置され、前記光学フィルムにテンションを付加するテンション部と、を含み、
前記テンション部には、前記テンションを調整するテンション調整部が設置され
前記テンション部は、
支持フレームと、
上下動可能に前記支持フレームに設置される固定板と、
前記光学フィルムの搬送方向に直交するように配置され、前記固定板に回転自由に支持されるテンション軸と、
前記テンション軸の中心部に固定され、前記光学フイルムに対して、テンションを付加するように上方から圧接するテンションローラと、を含み、
前記テンション調整部は、ウェイトと連接部材とを含み、
前記固定板と前記ウェイトとはそれぞれ前記連接部材の両端に連結され、
前記連接部材は、前記支持フレームに設置される複数のプーリーに渡って、前記固定板と前記ウェイトとを吊り下げ、
前記ウェイトの重量を調整することで、前記テンションを調整する、
ことを特徴とする光学フィルム貼付装置。
【請求項３】
前記ウェイトは受け部と複数のおもりを含み、
前記受け部は前記連接部材に連結され、前記複数のおもりは前記受け部にセットされる、
ことを特徴とする請求項２に記載された光学フィルム貼付装置。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
ガラス基板に光学フィルムを貼付して光学基板を製造するための光学フィルム貼付方法であって、
前記ガラス基板を搬送するガラス基板搬送経路と、
前記光学フィルムを搬送する光学フィルム搬送経路と、
前記ガラス基板搬送経路及び前記光学フィルム搬送経路の途中に設置され、前記ガラス基板に前記光学フィルムを貼付する貼付部と、
を備え、
前記貼付部は、幅が異なる光学フィルムの貼付を行うことができるように構成されており、
前記光学フィルム搬送経路が、
前記光学フィルムを供給する光学フィルム供給部と、
前記光学フィルム供給部と前記貼付部との間に設置され、前記光学フィルムにテンションを付加するテンション部と、を含み、
前記テンション部には、前記テンションを調整するテンション調整部が設置された、
構成の光学フィルム貼付装置を使用し、
前記光学フィルム貼付装置によって幅が異なる光学フィルムの貼付を行う場合に、
前記テンション調整部によって、幅が狭い光学フィルムを使用する場合のテンションより、幅が広い光学フィルムを使用する場合のテンションの方が大きくなるように、前記テンションを調整する、
ことを特徴とする光学フィルム貼付方法。
【請求項２】
ガラス基板に光学フィルムを貼付して光学基板を製造する光学フィルム貼付装置であって、
前記ガラス基板を搬送するガラス基板搬送経路と、
前記光学フィルムを搬送する光学フィルム搬送経路と、
前記ガラス基板搬送経路及び前記光学フィルム搬送経路の途中に設置され、前記ガラス基板に前記光学フィルムを貼付する貼付部と、
を含み、
前記光学フィルム搬送経路は、
前記光学フィルムを供給する光学フィルム供給部と、
前記光学フィルム供給部と前記貼付部との間に設置され、前記光学フィルムにテンションを付加するテンション部と、を含み、
前記テンション部には、前記テンションを調整するテンション調整部が設置され
前記テンション部は、
支持フレームと、
上下動可能に前記支持フレームに設置される固定板と、
前記光学フィルムの搬送方向に直交するように配置され、前記固定板に回転自由に支持されるテンション軸と、
前記テンション軸の中心部に固定され、前記光学フイルムに対して、テンションを付加するように上方から圧接するテンションローラと、を含み、
前記テンション調整部は、ウェイトと連接部材とを含み、
前記固定板と前記ウェイトとはそれぞれ前記連接部材の両端に連結され、
前記連接部材は、前記支持フレームに設置される複数のプーリーに渡って、前記固定板と前記ウェイトとを吊り下げ、
前記ウェイトの重量を調整することで、前記テンションを調整する、
ことを特徴とする光学フィルム貼付装置。
【請求項３】
前記ウェイトは受け部と複数のおもりを含み、
前記受け部は前記連接部材に連結され、前記複数のおもりは前記受け部にセットされる、
ことを特徴とする請求項２に記載された光学フィルム貼付装置。
【国際調査報告】
2017163495.tif 000006
2017163495.tif 000007
2017163495.tif 000008
2017163495.tif 000009